(57)【要約】【課題】従来の監視制御システムの設計情報においては、案件または設計者が異なると、命名規則あるいはＩＤ体系が異なり、案件を横断して機器を統一的に扱うことが困難であった。【解決手段】対象機器の監視制御信号が割付けられた画面部品または制御ロジックから機器のタイプを判別して情報モデルを構築することにより、案件を横断して機器を統一的に扱うことを可能とすることができる。【選択図】図１
2020149172.tif 000002
【特許請求の範囲】
【請求項１】
監視制御信号情報格納装置に格納された監視制御信号情報から、対象とする機器の監視制御信号を取得する監視制御信号情報取得手段、
監視画面情報格納装置に格納された監視画面情報から、前記対象とする機器の監視制御信号が割付いた画面部品を抽出する信号割付画面部品抽出手段、
前記信号割付画面部品抽出手段によって抽出された画面部品に対応する画面部品タイプを判別する画面部品タイプ判別手段、
制御ロジック格納装置に格納された制御ロジック情報から、前記対象とする機器の制御信号が割付いた制御ロジック情報を抽出する信号割付ロジック抽出手段、
前記信号割付ロジック抽出手段によって抽出された前記制御ロジック情報に対応するロジックタイプを判別するロジックタイプ判別手段、
標準の機器タイプと画面部品タイプとロジックタイプの対応関係を示す機器タイプ対応情報を格納した機器タイプ対応情報格納装置の前記機器タイプ対応情報に基づいて、前記画面部品タイプ判別手段で判別された画面部品タイプと前記ロジックタイプ判別手段で判別されたロジックタイプとから、前記対象とする機器の機器タイプを判別する機器タイプ判別手段、
を備えた監視制御システム情報モデル構築支援装置。
【請求項２】
監視制御信号情報格納装置に格納された監視制御信号情報から、対象とする機器の監視制御信号を取得する監視制御信号情報取得手段、
監視画面情報格納装置に格納された監視画面情報から、前記対象とする機器の監視制御信号が割付いた画面部品を抽出する信号割付画面部品抽出手段、
前記信号割付画面部品抽出手段によって抽出された画面部品に対応する画面部品タイプを判別する画面部品タイプ判別手段、
標準の機器タイプと画面部品タイプとの対応関係を示す機器タイプ対応情報を格納した機器タイプ対応情報格納装置の前記機器タイプ対応情報に基づいて、前記画面部品タイプ判別手段で判別された画面部品タイプから、前記対象とする機器の機器タイプを判別する機器タイプ判別手段、
を備えた監視制御システム情報モデル構築支援装置。
【請求項３】
監視制御信号情報格納装置に格納された監視制御信号情報から、対象とする機器の監視制御信号を取得する監視制御信号情報取得手段、
制御ロジック格納装置に格納された制御ロジック情報から、前記対象とする機器の監視制御信号が割付いた制御ロジック情報を抽出する信号割付ロジック抽出手段、
前記信号割付ロジック抽出手段によって抽出された前記制御ロジック情報に対応するロジックタイプを判別するロジックタイプ判別手段、
標準の機器タイプとロジックタイプの対応関係を示す機器タイプ対応情報を格納した機器タイプ対応情報格納装置の前記機器タイプ対応情報に基づいて、前記ロジックタイプ判別手段で判別されたロジックタイプから前記対象とする機器の機器タイプを判別する機器タイプ判別手段、
を備えた監視制御システム情報モデル構築支援装置。
【請求項４】
設備タイプ対応情報格納装置に格納された前記機器の標準タイプの組み合わせと設備タイプとの対応関係を示す設備タイプ対応情報に基づいて、前記機器タイプ判別手段で判別された機器タイプから前記対象とする機器を有する設備の設備タイプを判別する設備タイプ判別手段をさらに備えた請求項１から３のいずれか一項に記載の監視制御システム情報モデル構築支援装置。
【請求項５】
機器タイプ間関係性情報格納装置に格納された前記標準の機器タイプの類似関係を示す情報に基づいて前記機器タイプ判別手段で判別された機器タイプの類似機器タイプを検索する類似機器タイプ検索手段をさらに備えた請求項１から４のいずれか一項に記載の監視制御システム情報モデル構築支援装置。
【請求項６】
設備タイプ間関係性情報格納装置に格納された設備タイプの類似関係を示す情報に基づいて前記設備タイプ判別手段で判別された設備タイプの類似設備タイプを検索する類似設備タイプ検索手段をさらに備えた請求項４に記載の監視制御システム情報モデル構築支援装置。
【発明の詳細な説明】
【技術分野】
【０００１】
本願は、監視制御システム情報モデル構築支援装置に関するものである。
【背景技術】
【０００２】
従来の監視制御システムでは、例えば開閉器について、手動開閉器タイプまたは自動開閉器タイプという２種類の特徴を有する開閉器が存在し、ポンプにおいては、故障状態監視可能ポンプタイプ、または故障状態監視不可ポンプタイプといった、２種類の特徴を有するポンプが存在する。このように、それぞれの機器において、機器の特徴を表す機器のタイプ（以下機器タイプと称す）が存在する。これら機器タイプは、監視制御システムにおける機器の運転データ、点検データの比較、あるいは分析の基盤として有用な情報である。
監視制御システムの設計情報においては、機器タイプに、名称または識別情報（ＩＤ）を付すことにより、ある程度判別が可能となっている。しかし、監視制御システムの対象案件、または設計者が異なると、命名規則およびＩＤ体系が異なり、対象案件を横断して機器を統一的に扱うことが困難であった。
【０００３】
これに対し、例えば、特許文献１に示された監視制御システム設計支援装置には、制御ロジック図、制御ロジック部品に、体系的にＩＤを付したデータベースを使用し、各設備の運転仕様を定める複数の制御ロジック図と、過去に設計したロジック図とを解析して最適な制御ロジックを推奨する技術が示されている。
【先行技術文献】
【特許文献】
【０００４】
【特許文献１】特許第６２９７２３５号公報
【発明の概要】
【発明が解決しようとする課題】
【０００５】
しかし、特許文献１の監視制御システム設計支援装置では、体系的なＩＤを付した制御ロジックを統一的に扱うことができるが、監視制御システムを構成する制御対象機器と制御ロジックとの関連を考慮しておらず、あいかわらず監視制御システムのさまざまな対象案件を横断して、機器を統一的に扱うことができないという問題点があった。
【０００６】
本願は上述のような問題を解決するためになされたものであり、画面設計情報または制御ロジック情報等の監視制御システムの既存の設計情報から、同じタイプを有する機器を自動的に判別し、比較または分析の基盤となる案件横断の標準タイプの情報モデルを効率的に構築することを目的とする。
【課題を解決するための手段】
【０００７】
本願に開示される監視制御システム情報モデル構築支援装置は、
監視制御信号情報格納装置に格納された監視制御信号情報から、対象とする機器の監視制御信号を取得する監視制御信号情報取得手段、
監視画面情報格納装置に格納された監視画面情報から、対象とする機器の監視制御信号が割付いた画面部品を抽出する信号割付画面部品抽出手段、
信号割付画面部品抽出手段によって抽出された画面部品に対応する画面部品タイプを判別する画面部品タイプ判別手段、
制御ロジック格納装置に格納された制御ロジック情報から、対象とする機器の制御信号が割付いた制御ロジック情報を抽出する信号割付ロジック抽出手段、
信号割付ロジック抽出手段によって抽出された制御ロジック情報に対応するロジックタイプを判別するロジックタイプ判別手段、
標準の機器タイプと画面部品タイプとロジックタイプの対応関係を示す機器タイプ対応情報を格納した機器タイプ対応情報格納装置の機器タイプ対応情報に基づいて、画面部品タイプ判別手段で判別された画面部品タイプとロジックタイプ判別手段で判別されたロジックタイプとから、対象とする機器の機器タイプを判別する機器タイプ判別手段、
を備える。
【発明の効果】
【０００８】
本願に開示される監視制御システム情報モデル構築支援装置によれば、機器タイプの情報を保有しない既存の設計情報から、機器タイプを判別することが可能となる。
【図面の簡単な説明】
【０００９】
【図１】実施の形態１の機能構成図である。
【図２】実施の形態１の監視制御信号情報の一例を示した図である。
【図３】実施の形態１の監視画面情報の一例を示した図である。
【図４】実施の形態１の制御ロジック情報の一例を示した図である。
【図５】実施の形態１の機器タイプ対応情報の一例を示した図である。
【図６】実施の形態１の機器タイプ対応情報の他の一例を示した図である。
【図７】実施の形態１のフローチャートを示した図である。
【図８】実施の形態１の機器タイプ判別結果表示の一例を示した図である。
【図９】各実施の形態のハードウエア構成を示す図である。
【図１０】実施の形態２の機能構成図である。
【図１１】実施の形態２のフローチャートを示した図である。
【図１２】実施の形態３の機能構成図である。
【図１３】実施の形態３のフローチャートを示した図である。
【図１４】実施の形態４の機能構成図である。
【図１５】実施の形態４の設備対応情報の一例を示した図である。
【図１６】実施の形態４のフローチャートを示した図である。
【図１７】実施の形態４の設備タイプ判別結果表示の一例を示した図である。
【図１８】実施の形態５の機能構成図である。
【図１９】実施の形態５の機器タイプ・設備タイプ情報の一例を示した図である。
【図２０】実施の形態５の機器タイプ間の関係性の一例を示した図である。
【図２１】実施の形態５の設備タイプ間の関係性の一例を示した図である。
【図２２】実施の形態５のフローチャートを示した図である。
【図２３Ａ】実施の形態５の同設備タイプかつ同機器タイプの機器群の検索結果の一例を表示した図である。
【図２３Ｂ】実施の形態５の同設備タイプかつ類似機器タイプの機器群の検索結果の一例を表示した図である。
【図２３Ｃ】実施の形態５の類似設備タイプかつ同機器タイプの機器群の検索結果の一例を表示した図である。
【図２３Ｄ】実施の形態５の類似設備タイプかつ類似機器タイプの機器群の検索結果の一例を表示した図である。
【発明を実施するための形態】
【００１０】
以下、本願に係る監視制御システム情報モデル構築支援装置の好適な実施の形態について、図面を参照して説明する。なお、同一内容および相当部については同一符号を配し、その詳しい説明は省略する。以降の実施形態も同様に、同一符号を付した構成について重複した説明は省略する。
【００１１】
実施の形態１．
図１は実施の形態１に係る監視制御システム情報モデル構築支援装置の機能構成図である。図１に示すように、本実施の形態の監視制御システム情報モデル構築支援装置は、監視制御システムの設計情報の１つである監視制御信号情報を格納する監視制御信号情報格納装置１０と、監視制御信号情報格納装置１０に格納されている監視制御信号情報から対象機器の監視制御信号の情報を取得する監視制御信号情報取得手段２０と、監視制御システムの設計情報の１つである監視画面情報を格納する監視画面情報格納装置３０と、監視画面情報格納装置３０に格納されている監視画面情報から、対象機器の信号が割付いた画面部品を抽出する信号割付画面部品抽出手段４０と、信号割付画面部品抽出手段４０によって抽出された画面部品に対応する画面部品タイプを判別する画面部品タイプ判別手段５０と、監視制御システムの設計情報の１つである制御ロジック情報を格納する制御ロジック情報格納装置６０と、制御ロジック情報格納装置６０に格納されている制御ロジック情報から対象機器の信号が割付いたロジックを抽出する信号割付ロジック抽出手段７０と、信号割付ロジック抽出手段７０によって抽出されたロジックに対応するロジックタイプを判別するロジックタイプ判別手段８０と、対象機器の各信号が割付いた画面部品のタイプと対象機器の各信号が割付いたロジックのタイプと対象機器の標準タイプとの対応関係を格納した機器タイプ対応情報格納装置９０と、機器タイプ対応情報格納装置９０に格納されている機器タイプ対応情報に基づいて、画面部品タイプ判別手段５０で判別された画面部品タイプとロジックタイプ判別手段８０で判別されたロジックタイプとから、機器タイプを判別する機器タイプ判別手段１００と、機器タイプ判別手段１００によって判別された、監視制御信号情報に含まれる各機器の機器タイプを表示する表示装置１１０から構成される。本実施の形態では、上述した監視制御システムの設計情報は、既に製作済みの既存の設計情報を意味するが、これに限るものではない。
【００１２】
図２は監視制御信号情報格納装置１０に格納する監視制御信号情報の一例を表形式で示した図である。監視制御信号情報は、各監視制御信号を保有する機器の名称、これら機器を保有する設備の名称、監視制御信号を一意に特定する信号ＩＤを含む。なお、監視制御信号情報は１つのファイルである必要はなく、例えば設備毎に分割しても良い。また表形式である必要はない。
【００１３】
図３は監視画面情報格納装置３０に格納する監視画面情報の一例を表形式で示した図である。１つの監視画面は１つ以上の画面部品から構成される。監視画面情報は、監視画面を一意に特定する画面ＩＤ、監視画面の中の画面部品を一意に特定する画面部品ＩＤ、画面部品に割り付けられた監視制御信号を示す割付信号ＩＤ、および画面部品タイプ（あるいはそれを特定（類推）可能な情報）を含む。この割付信号ＩＤは、上述した監視制御信号情報の信号ＩＤと対応している。１つの画面部品に対して複数の割付信号ＩＤを割り付けても良い。また異なる画面部品に対して同じ割付信号ＩＤを割り付けても良い。また割付信号ＩＤのない画面部品が存在しても良い。また画面部品は、複数の画面部品を組み合わせたものを１つの画面部品として扱っても良い。
画面部品タイプには、例えばポンプのアイコンに対応した「ポンプ画面部品タイプ」または、ポンプのアイコンと故障アイコンを組み合わせた「故障監視ポンプ画面部品タイプ」等がある。監視画面情報上で例えば図３の画面部品２がポンプのアイコンとして定義されていれば、画面部品タイプ４は、「ポンプ画面部品タイプ」となる。実際に監視画面を作成する際は、画面部品の雛形となるこれら画面部品タイプから選択して配置し、属性（位置、サイズ、色、割付信号など）を設定して作成する。なお、監視画面情報は１つのファイルである必要はなく、例えば画面毎に分割しても良い。また表形式である必要はない。
【００１４】
図４は制御ロジック情報格納装置６０に格納する制御ロジック情報の一例を表形式で示した図である。監視制御で使用される１つのプログラムは１つ以上の制御ロジックから構成される。制御ロジック情報は、プログラムを一意に特定するプログラムＩＤ、プログラムの中で制御ロジックを一意に特定するロジックＩＤ、制御ロジックに割り付けられた監視制御信号を示す割付信号ＩＤ、およびロジックタイプ（あるいはそれを特定（類推）可能な情報）を含む。割付信号ＩＤは、上述した監視制御信号情報の信号ＩＤと対応している。また一つの制御ロジックに対して複数の割付信号ＩＤを割り付けても良い。また異なる制御ロジックに対して同じ割付信号ＩＤを割り付けても良い。また割付信号のＩＤのない制御ロジックが存在しても良い。
図中、ロジックタイプは、プログラムの関数のようなもので、その入力が割付信号となる。実際に制御ロジックを実装する際は、関数の雛形となるこれらロジックタイプを選択して組合せる。なお、制御ロジック情報は1つのファイルである必要はなく、例えばプログラム毎に分割しても良い。また表形式である必要はない。
【００１５】
図５は機器タイプ対応情報格納装置９０に格納する機器タイプ対応情報の一例を示す図である。機器タイプ対応情報は、画面部品タイプとロジックタイプの組み合わせと、標準機器タイプとの対応関係を含む。例えば図５に示した表の２行目Ｐに示すように、画面部品タイプ４、ロジックタイプ３に対応する標準機器タイプを機器タイプ２とする。また、図５に示した表の１行目Ｑに示すように、画面部品タイプ１で、ロジックタイプが無い場合の標準機器タイプを機器タイプ１としてもよい。
【００１６】
あるいは図６Ａに示す画面部品タイプと機器タイプとの対応と、図６Ｂに示すロジックタイプと機器タイプとの対応とを分けて定義して機器タイプ対応情報格納装置９０に格納してもよい。
【００１７】
画面部品タイプ判別手段５０で判別された画面タイプと、ロジックタイプ判別手段で判別されたロジックタイプが機器タイプ判別手段１００に入力され、機器タイプ対応情報格納装置９０からの機器タイプ対応情報に基づいて、機器タイプを判断する。例えば、図３で示す、画面ＩＤが画面１、画面部品ＩＤが画面部品２において、対象機器の信号５が割付けられている画面部品のタイプが画面部品タイプ４であり、図４で示す、プログラムＩＤがプログラム１、ロジックＩＤがロジック１において、対象機器の信号１が割付けられたロジックのタイプがロジックタイプ３であるとき、機器タイプ判別手段１００は、図５に示した機器タイプ対応情報の対応関係から、対象機器の標準機器タイプを機器タイプ２と判断する。あるいは、図６に示された機器タイプ対応情報の場合、機器タイプ判別手段１００は、対象機器の標準タイプを、機器タイプ５かつ機器タイプ８と判断する。
【００１８】
次に動作について説明する。本実施の形態では、監視制御信号情報内の各機器に対して、監視画面情報と制御ロジック情報とから、対応する機器タイプを表示装置１１０に表示することができる。実施の形態１の動作を、図１とフローチャートを示す図７に基づいて説明する。
【００１９】
まず監視制御信号情報取得手段２０が、監視制御信号情報格納装置１０に格納されている監視制御信号情報を読み込む（ステップＳ１０００）。読み込んだ監視制御信号情報に含まれる各機器を対象として、次に説明するステップＳ２０００からステップＳ７０００までの処理を全機器の処理が終了するまで繰り返す。
【００２０】
信号割付画面部品抽出手段４０が、監視画面情報格納装置３０に格納されている監視画面情報を読み込み、監視制御信号情報に含まれる対象機器の信号が割付いた画面部品を抽出する（ステップＳ２０００）。画面部品タイプ判別手段５０が、割り付いた信号に基づきステップＳ２０００で抽出した画面部品の画面部品タイプを判別する（ステップＳ３０００）。
【００２１】
次に信号割付ロジック抽出手段７０が、制御ロジック情報格納装置６０に格納されている制御ロジック情報を読み込み、対象機器の信号が割付いたロジックを抽出する（ステップＳ４０００）。ロジックタイプ判別手段８０が、ステップＳ４０００で抽出したロジックのロジックタイプを判別する（ステップＳ５０００）。機器タイプ判別手段１００が、ステップＳ３０００で判別した画面部品タイプとステップＳ５０００で判別したロジックタイプから機器タイプを判別する（ステップＳ６０００）。機器タイプ判別手段１００が、監視制御信号情報に含まれる全機器の機器タイプを判別した後（ステップＳ７０００）、各機器の機器タイプを例えば図８のような表の形式で、表示装置１１０に出力する（ステップＳ８０００）。
【００２２】
このような動作は、例えば、パーソナルコンピュータまたはマイコンなどに搭載されるプロセッサと記憶装置により行われる。ハードウエアの一例を図９に示す。プロセッサ３００と記憶装置４００から構成され、図示していないが、記憶装置はランダムアクセスメモリ等の揮発性記憶装置と、フラッシュメモリ等の不揮発性の補助記憶装置とを具備する。また、フラッシュメモリの代わりにハードディスクの補助記憶装置を具備してもよい。プロセッサ３００は、記憶装置４００から入力されたプログラムを実行することにより、例えば上述したフローチャートに従い、記憶装置に記憶された各種情報から機器タイプを判別し、表示装置１１０に出力する。この場合、補助記憶装置から揮発性記憶装置を介してプロセッサ３００にプログラムが入力される。また、プロセッサ３００は、演算結果等のデータを記憶装置４００の揮発性記憶装置に出力してもよいし、揮発性記憶装置を介して補助記憶装置にデータを保存してもよい。以降に説明する各実施の形態でも同様なハードウエア構成により動作を行っている。
【００２３】
以上のように、実施の形態１によれば、機器の信号が割り付いた画面部品および制御ロジックから画面部品タイプと制御ロジックタイプを判別し、これに基づいて機器のタイプを判別することが可能となる。これにより、標準の機器タイプ情報を保有しない既存の設計情報から、画面部品タイプとロジックタイプを判別し、これに基づいて機器タイプを判別することができ、効率的に情報モデルを構築することが可能となる。これを使用することにより、例えば、標準の機器タイプの運転データまたはデータの平均値と、機器タイプを同一とする対象機器のデータとを比較し、標準値から逸脱していないかを判定することにより対象機器の異常兆候を検知することができる。また、標準の機器タイプの機器の健全度を示す使用年数と点検データとの関係から、機器タイプを同じくする対象機器のデータと比較し、劣化予測を行うことができる。
【００２４】
実施の形態２．
実施の形態２について図１０の機能構成図に基づいて説明する。実施の形態１と同様の機能を有する構成要素は実施の形態１と同一の符号を付して重複する説明を省略する。以下、実施の形態１と異なる点を説明する。実施の形態１では、ロジックタイプと画面部品タイプとから機器タイプを判別したが、本実施の形態では、画面部品タイプのみから機器タイプを判別する。すなわち、図１０に示すように、図１に示した実施の形態１の構成から、制御ロジック情報格納装置６０と、信号割付ロジック抽出手段７０と、ロジックタイプ判別手段８０とを除いた構成となる。
【００２５】
次に動作について説明する。本実施の形態の動作を、図１０の機能構成図と図１１のフローチャートに基づいて説明する。実施の形態１で説明した図７のフローチャートと比較して、制御ロジックを抽出するステップＳ４０００、制御ロジックのタイプを判別するためのステップＳ５０００が存在しない。また、本動作は、例えば、実施の形態１の図９で説明したのと同様なハードウエア構成に記憶されたプログラムにより行われる。
【００２６】
監視制御信号情報取得手段２０が、監視制御信号情報格納装置１０に格納されている監視制御信号情報を読み込む（ステップＳ１０００）。読み込んだ監視制御信号情報に含まれる各機器を対象として、次に説明するステップＳ２０００、ステップＳ３０００、ステップＳ６０００、およびステップＳ６１００の処理を全機器の処理が終了するまで繰り返す。
【００２７】
信号割付画面部品抽出手段４０が、監視画面情報格納装置３０に格納されている監視画面情報を読み込み、監視制御信号情報に含まれる対象機器の信号が割付いた画面部品を抽出する（ステップＳ２０００）。画面部品タイプ判別手段５０が、割り付いた信号に基づきステップＳ２０００で抽出した画面部品の画面部品タイプを判別する（ステップＳ３０００）。機器タイプ判別手段１００が、ステップＳ３０００で判別した画面部品の画面部品タイプから機器タイプを判別する（ステップＳ６１００）。機器タイプ判別手段１００が、監視制御信号情報に含まれる全機器の機器タイプを判別した後（ステップＳ７０００）、各機器の機器タイプを例えば、実施の形態１の図８で説明したような表の形式で、表示装置１１０に出力する（ステップＳ８０００）。
【００２８】
以上のように、実施の形態２によれば、機器のタイプを、画面部品のタイプのみから判別することが可能となる。これにより、標準の機器タイプ情報を保有しない既存の設計情報から、画面部品タイプを判別するだけで、機器タイプを判別することができ、効率的に情報モデルを構築することが可能となる。これにより、対象機器と機器タイプを同一とする機器タイプの標準的な情報を利用して実施の形態１の効果で説明したような比較及び分析を行うことができる。
【００２９】
実施の形態３．
実施の形態３について図１２に基づいて説明する。実施の形態１と同様の機能を有する構成要素は実施の形態１と同一の符号を付して重複する説明を省略する。以下、実施の形態１と異なる点を説明する。実施の形態１では、ロジックタイプと画面部品タイプとから機器タイプを判別したが、本実施の形態では、ロジックタイプのみから機器タイプを判別する。すなわち、図１２に示すように、図１に示した実施の形態１の構成から、監視画面情報格納装置３０と、信号割付画面部品抽出手段４０と、画面部品タイプ判別手段５０とを除いた構成になる。
【００３０】
次に動作について説明する。本実施の形態の動作を、図１２の機能構成図と、図１３のフローチャートに基づいて説明する。実施の形態１で説明した図７のフローチャートと比較して、画面部品を抽出するステップＳ２０００、画面部品のタイプを判別するためのステップＳ３０００が存在しない。また、本動作は、例えば、実施の形態１の図９で説明したのと同様なハードウエア構成に記憶されたプログラムにより行われる。
【００３１】
監視制御信号情報取得手段２０が、監視制御信号情報格納装置１０に格納されている監視制御信号情報を読み込む（ステップＳ１０００）。読み込んだ監視制御信号情報に含まれる各機器を対象として、次に説明するステップＳ４０００、ステップＳ５０００、およびステップＳ６２００の処理を全機器の処理が終了するまで繰り返す。
【００３２】
信号割付ロジック抽出手段７０が、制御ロジック情報格納装置６０に格納されている制御ロジック情報を読み込み、対象機器の信号が割付いた制御ロジックを抽出する（ステップＳ４０００）。ロジックタイプ判別手段８０が、ステップＳ４０００で抽出した制御ロジックのタイプを判別する（ステップＳ５０００）。機器タイプ判別手段１００が、ステップＳ５０００で判別した制御ロジックタイプから機器タイプを判別する（ステップＳ６２００）。機器タイプ判別手段１００が、監視制御信号情報に含まれる全機器の機器タイプを判別した後（ステップＳ７０００）、各機器の機器タイプを例えば実施の形態１で説明した図８のような表の形式で、表示装置１１０に出力する（ステップＳ８０００）。
【００３３】
以上のように、実施の形態３によれば、機器のタイプを、ロジックのタイプのみから判別することが可能となる。これにより、標準の機器タイプ情報を保有しない既存の設計情報から、ロジックタイプを判別するだけで、機器タイプを判別することができ、効率的に情報モデルを構築することが可能となる。これにより、対象機器と機器タイプを同一とする機器タイプの標準的な情報を利用して実施の形態１の効果で説明したような比較及び分析を行うことができる。
【００３４】
実施の形態４．
実施の形態４について図１４に基づいて説明する。実施の形態１と同様の機能を有する構成要素は実施の形態１と同一の符号を付して重複する説明を省略する。以下、実施の形態１と異なる点を説明する。
【００３５】
実施の形態４では、実施の形態１の構成に加え、機器タイプの組み合わせと、設備の特徴を示す設備タイプの対応関係を格納した設備タイプ対応情報格納装置１２０と、設備タイプ対応情報格納装置１２０に格納されている設備タイプ対応情報と機器タイプ判別手段１００で判別された機器タイプとから設備タイプを判別する設備タイプ判別手段１３０から構成される。
【００３６】
図１５は設備タイプ対応情報格納装置１２０に格納する設備タイプ対応情報の一例を示す図である。設備タイプ対応情報は、構成する機器の機器タイプとその台数と、設備タイプの対応関係を含む。例えば図１５によれば、対象設備が、機器タイプ２の機器が１台、機器タイプ４の機器が２台以上で構成されている場合に、設備タイプ判別手段１３０は、設備タイプ１と判断する、という対応関係を示している。また機器タイプ１の機器が１台以上、機器タイプ１、あるいは機器タイプ３の機器が３台以上、機器タイプ５の機器が２台以上の場合に、設備タイプ２と判断する、という対応関係を示している。なお、構成機器タイプの台数は指定しない場合は１台以上として扱う。
【００３７】
次に動作について説明する。実施の形態４では、監視制御信号情報内の各設備を構成する機器の機器タイプ情報から、対応する設備タイプを表示装置１１０に表示することができる。また、本動作は、例えば、実施の形態１の図９で説明したのと同様なハードウエア構成に記憶されたプログラムにより行われる。
【００３８】
実施の形態４の動作を、図１６のフローチャートに基づいて説明する。実施の形態４では、実施の形態１で説明した図７のフローチャート中のステップＳ７０００の後に、設備タイプ判別手段１３０が、判別された機器タイプから、各設備を構成する機器タイプの台数を抽出し、各設備の設備タイプを判別する（ステップＳ９０００）。なお、台数を抽出することなく、機器タイプから設備タイプを判別してもよい。設備タイプ判別手段１３０が、監視制御信号情報に含まれる全設備の設備タイプを判別した後、各設備の設備タイプを、例えば図１７のような表形式で、表示装置１１０に出力する（ステップＳ１００００）
【００３９】
以上のように、実施の形態４によれば、設備のタイプを、その設備を構成する機器のタイプから判別することが可能となる。これにより、標準の設備タイプ情報を保有しない既存の設計情報から、画面部品タイプとロジックタイプを判別し、これに基づいて機器タイプと設備タイプを判別することができ、効率的かつ既存の設計情報を十分に活用した情報モデルを構築することが可能となる。これを使用することにより、例えば、標準の設備タイプの稼働データまたはデータの平均値と、設備タイプを同一とする対象設備のデータとを比較し、標準値から逸脱していないかを判定することにより対象設備の異常兆候を検知することができる。また、標準の設備タイプの設備の健全度を示す使用年数と点検データとの関係から、設備タイプを同一とする対象設備のデータと比較し、劣化予測を行うことができる。
【００４０】
実施の形態５．
実施の形態５について図１８に基づいて説明する。実施の形態４と同様の機能を有する構成要素は実施の形態４と同一の符号を付して重複する説明を省略する。以下、実施の形態２と異なる点を説明する。
【００４１】
実施の形態５では、実施の形態４の構成に加え、各機器の機器タイプと各設備の設備タイプを格納した機器タイプ・設備タイプ情報格納装置１４０と、機器タイプ間の関係性を格納した機器タイプ間関係性情報格納装置１５０と、設備タイプ間の関係性を格納した設備タイプ間関係性情報格納装置１６０と、類似機器を検索する際に対象となる機器情報を入力するための入力装置１７０と、入力された対象機器の類似機器を検索する類似機器検索手段１８０とから構成される。
【００４２】
図１９は機器タイプ・設備タイプ情報格納装置１４０に格納する情報の一例を示す図である。格納する情報は、設備の名称と、各設備の設備タイプと、設備を構成する機器の名称と、機器タイプを含む。例えば、設備１は設備タイプ４である。設備１は３つの機器１、機器２、および機器３から構成され、機器１は機器タイプ７、機器２は機器タイプ２、機器３は機器タイプ２であることを示している。
【００４３】
図２０は機器タイプ間関係性情報格納装置１５０に格納する機器タイプ間の関係性の一例を示す図である。機器タイプ間関係性情報は、各機器タイプ間の汎化関係を含む。汎化関係とは、汎化先の機器タイプは汎化元の機器タイプの特徴を保有することを表す。例えば図２０中、機器タイプ５は機器タイプ２の特徴を保有することを示している。また機器タイプ１は機器タイプ２と機器タイプ３に共通する特徴を保有することを示している。
【００４４】
図２１は設備タイプ間関係性情報格納装置１６０に格納する設備タイプ間の関係性の一例を示す図である。設備タイプ間関係性情報は、各設備タイプ間の汎化関係を含む。汎化関係とは、汎化先の設備タイプは汎化元の設備タイプの特徴を保有することを表す。例えば図２１中、設備タイプ５は設備タイプ３の特徴を保有することを示している。また設備タイプ１は設備タイプ２と設備タイプ３に共通する特徴を保有することを示している。
【００４５】
次に動作について説明する。実施の形態５では、設備の設備タイプと機器の機器タイプとから、対象の機器に類似する機器を表示装置１１０に表示することができる。また、本動作は、例えば、実施の形態１の図９で説明したのと同様なハードウエア構成に記憶されたプログラムにより行われる。
【００４６】
実施の形態５の動作を、図２２のフローチャートに基づいて説明する。実施の形態５では、実施の形態４で説明した図１６中のステップＳ７０００の後に、設備タイプ判別手段１３０が、判別された機器タイプと設備タイプを機器タイプ・設備タイプ情報格納装置１４０に格納する（ステップＳ１１０００）。類似機器タイプを検索する対象の機器を、入力装置１７０を用いて入力する（ステップＳ１２０００）。
【００４７】
類似機器検索手段１８０が、入力された対象の機器に対して、機器タイプ・設備タイプ情報格納装置１４０に格納されている機器タイプ・設備タイプ情報と、機器タイプ間関係性情報格納装置１５０に格納されている機器タイプ間関係性情報と、設備タイプ間関係性情報格納装置１６０に格納されている設備タイプ間関係性情報とから、類似する機器タイプを検索する（ステップＳ１３０００）。類似機器検索手段１８０が、検索した結果を例えば図２３Ａから図２３Ｄのような形式で、表示装置１１０に出力する（ステップＳ１４０００）。
【００４８】
図２３Ａは、対象機器を設備１（設備タイプ４）の機器２（機器タイプ２）を入力装置により入力した際の、「同設備タイプかつ同機器タイプの機器群の検索結果」の例を示す。また、図２３Ｂは、対象機器を設備１（設備タイプ４）の機器２（機器タイプ２）を入力装置により入力した際の、「同設備タイプかつ類似機器タイプの機器群の検索結果」の例を示す。また、図２３Ｃは、対象機器を設備１（設備タイプ４）の機器２（機器タイプ２）を入力装置により入力した際の、「類似設備タイプかつ同機器タイプの機器群の検索結果」の例を示す。また、図２３Ｄは、対象機器を設備１（設備タイプ４）の機器２（機器タイプ２）を入力装置により入力した際の、「類似設備タイプかつ類似機器タイプの機器群の検索結果」の例を示している。
【００４９】
ここで類似機器タイプとは、例えば図２０における汎化先の機器タイプをいう。図２０では、機器タイプ２に対する類似機器タイプは、機器タイプ１と機器タイプ５となる。また汎化先の汎化先（の汎化先の…）も類似機器タイプとしてもよい。例えば図２０では、機器タイプ４に対する類似機器タイプは、機器タイプ３と機器タイプ１となる。
【００５０】
あるいは、機器タイプ間関係性情報をグラフに見立てて、距離の近い機器タイプを類似機器タイプとしてもよい。例えば図２０では、機器タイプ１に対して、機器タイプ２と機器タイプ３は距離が「１」（直接的な汎化関係）であり、機器タイプ４と機器タイプ５は距離が「２」（別の機器タイプ１つを介した間接的な汎化関係）となる。
【００５１】
類似設備タイプに関しても図２１に示すように機器タイプと同様な汎化関係から、類似設備タイプを求めることができる。
【００５２】
また、設備タイプを考慮しない「同機器タイプの機器群の検索結果」、「類似機器タイプの機器群の検索結果」を表示してもよい。
【００５３】
以上のように、実施の形態５によれば、対象機器の類似機器を、設備タイプと機器タイプから検索することが可能となる。従って、標準の機器タイプおよび設備タイプ情報を保有しない既存の設計情報から、画面部品タイプとロジックタイプを判別し、これに基づいて類似の範囲内にある機器タイプと設備タイプまで判別することができ、既存の設計情報を十分に活用した情報モデルを効率よく構築することが可能となる。これを使用することにより、例えば、標準の機器タイプまたは設備タイプの稼働データまたはデータの平均値と、機器タイプまたは設備タイプを同一または類似とする対象機器または対象設備のデータとを比較し、標準値から逸脱していないかを判定することにより対象機器または対象設備の異常兆候を検知することができる。また、標準の機器タイプまたは設備タイプの設備の健全度を示す使用年数と点検データとの関係から、機器タイプまたは設備タイプを同一または類似とする対象機器または対象設備のデータと比較し、劣化予測を行うことができる。
【００５４】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００５５】
１０：監視制御信号情報格納装置、２０：監視制御信号情報取得手段、３０：監視画面情報格納装置、４０：信号割付画面部品抽出手段、５０：画面部品タイプ判別手段、６０：制御ロジック情報格納装置、７０：信号割付ロジック抽出手段、８０：ロジックタイプ判別手段、９０：機器タイプ対応情報格納装置、１００：機器タイプ判別手段、１１０：表示装置、１２０：設備タイプ対応情報格納装置、１３０：設備タイプ判別手段、１４０：機器タイプ・設備タイプ情報格納装置、１５０：機器タイプ間関係性情報格納装置、１６０：設備タイプ間関係性情報格納装置、１７０：入力装置、１８０：類似機器検索手段、３００：プロセッサ、４００：記憶装置
【図１】
2020149172.tif 000003
【図２】
2020149172.tif 000004
【図３】
2020149172.tif 000005
【図４】
2020149172.tif 000006
【図５】
2020149172.tif 000007
【図６】
2020149172.tif 000008
【図７】
2020149172.tif 000009
【図８】
2020149172.tif 000010
【図９】
2020149172.tif 000011
【図１０】
2020149172.tif 000012
【図１１】
2020149172.tif 000013
【図１２】
2020149172.tif 000014
【図１３】
2020149172.tif 000015
【図１４】
2020149172.tif 000016
【図１５】
2020149172.tif 000017
【図１６】
2020149172.tif 000018
【図１７】
2020149172.tif 000019
【図１８】
2020149172.tif 000020
【図１９】
2020149172.tif 000021
【図２０】
2020149172.tif 000022
【図２１】
2020149172.tif 000023
【図２２】
2020149172.tif 000024
【図２３Ａ】
2020149172.tif 000025
【図２３Ｂ】
2020149172.tif 000026
【図２３Ｃ】
2020149172.tif 000027
【図２３Ｄ】
2020149172.tif 000028